(57)【要約】【課題】木材の切断面の角部の面取り加工を容易に行うことが可能な木材切断装置を提供する。【解決手段】被加工木材５００を、回転する丸鋸軸３に取り付けられた丸鋸３１によって切断する木材切断装置１００であって、被加工木材５００の上面における丸鋸３１による切断部位に沿って、回転する上面取りカッター１１を当接させて断面Ｖ字状の凹溝Ｘを形成し、丸鋸３１による切断面の上側の角部を面取りする上面取り軸１と、被加工木材５００の下面における丸鋸３１による切断部位に沿って、回転する下面取りカッターを２１当接させて断面Ｖ字状の凹溝Ｙを形成し、丸鋸３１による切断面の下側の角部を面取りする下面取り軸２とを有する。【選択図】図１
2009269379.tif 000002
【特許請求の範囲】
【請求項１】
被加工木材を、回転する丸鋸軸に取り付けられた丸鋸によって切断する木材切断装置であって、
前記被加工木材の上面における前記丸鋸による切断部位に沿って、回転する上面取りカッターを当接させて断面Ｖ字状の凹溝を形成し、前記丸鋸による切断面の上側の角部を面取りする上面取り軸と、
前記被加工木材の下面における前記丸鋸による切断部位に沿って、回転する下面取りカッターを当接させて断面Ｖ字状の凹溝を形成し、前記丸鋸による切断面の下側の角部を面取りする下面取り軸とを有することを特徴とする木材切断装置。
【請求項２】
被加工木材を、回転する丸鋸軸に取り付けられた丸鋸によって切断する木材切断装置であって、
前記被加工木材の下面における前記丸鋸による切断部位に沿って、回転する下面取りカッターを当接させて断面Ｖ字状の凹溝を形成し、前記丸鋸による切断面の下側の角部を面取りする下面取り軸を有することを特徴とする木材切断装置。
【請求項３】
被加工木材を、回転する丸鋸軸に取り付けられた丸鋸によって切断する木材切断装置であって、
前記被加工木材の上面における前記丸鋸による切断部位に沿って、回転する上面取りカッターを当接させて断面Ｖ字状の凹溝を形成し、前記丸鋸による切断面の上側の角部を面取りする上面取り軸を有することを特徴とする木材切断装置。
【請求項４】
前記下面取りカッターは、前記下面取り軸の軸方向に分割された左右二つの部材から形成され、前記丸鋸を左右から挟むように固定されており、
前記下面取り軸と前記丸鋸軸とを同一軸によって回転させて、前記下面取りカッターによる面取りと前記丸鋸による切断とを同時に行うことを特徴とする請求項１又は請求項２に記載の木材切断装置。
【請求項５】
前記上面取りカッターは、前記上面取り軸の軸方向に分割された左右二つの部材から形成され、前記丸鋸を左右から挟むように固定されており、
前記上面取り軸と前記丸鋸軸とを同一軸によって回転させて、前記上面取りカッターによる面取りと前記丸鋸による切断とを同時に行うことを特徴とする請求項１又は請求項３に記載の木材切断装置。
【請求項６】
前記被加工木材の上面及び前記被加工木材の下面の少なくとも一つを切削する鉋軸を有することを特徴とする請求項１乃至請求項５のうちいずれか一つに記載の木材切断装置。
【発明の詳細な説明】
【技術分野】
【０００１】
本発明は、被加工木材を、回転する丸鋸軸に取り付けられた丸鋸によって切断する木材切断装置に関するものである。
【背景技術】
【０００２】
従来、木材を切断するための装置として、丸鋸を回転させて切断する木材切断装置が用いられている。図１３は、従来例に係る木材切断装置４００の概要を示す側面図であり、図１４は、木材切断装置４００の概要を示す平面図である。
【０００３】
図１３及び図１４に示すように、木材切断装置４００は主として、下鉋軸４０、上鉋軸５０、丸鋸軸６０、フレーム７０から構成されている。そして、木材５００がフレーム７０上を、複数の送りローラ（図示しない）によって、図１３及び図１４における右から左へと送られながら加工されるようになっている。下鉋軸４０及び上鉋軸５０の胴部には複数の鉋刃が固定され、それぞれ回転しながら木材５００の下面及び上面を切削加工するようになっている。下面及び上面が切削加工された木材５００は、丸鋸軸６０の位置まで送られて、回転する丸鋸により切断される。なお、丸鋸は通常、本従来例に示すように複数枚が並列して取り付けられて、一度に複数の切断を行うことができるようになっている。
【０００４】
切断後の木材は、そのまま建築資材等として使用される場合もあるが、例えば床材の下地材等として使用される場合には、切断面を滑らかにすることが要求される。そのため、切断面の角部に対して面取り加工が行われる。この面取り加工は、切断後の木材１本ずつについて、手作業あるいは機械加工により行われている。
【０００５】
一方、木材の面取り加工に関する技術として、特許文献１には、切削刃２７と面取り刃３０が取り付けられた丸鋸刃１１により、切削刃２７で「ほぞ」を形成しつつ、面取り刃３０で「ほぞ」の先端を面取り加工するようにした発明が記載されている。
また、特許文献２には、切削刃１４と罫引きカッター１９が取り付けられた回転切削ドラム１０により、切削刃１４で切り込み溝を形成しつつ、罫引きカッター１９により溝周囲の破損を防止するようにした発明が記載されている。
また、特許文献３には、床材１を切断する前に、金型２の突条２ａにより床材１の表面に溝４を形成し、その後切断することにより、切断面に面取り部４ａを形成するようにした発明が記載されている。
【特許文献１】特開平１１−９９５０４号公報
【特許文献２】特開２００４−２９９２１１号公報
【特許文献３】特開２００１−２６０１０７号公報
【発明の開示】
【発明が解決しようとする課題】
【０００６】
しかしながら、木材の切断面の角部を面取り加工する場合に、従来のように切断後の木材１本ずつについて行う方法では、以下のような問題があった。
まず、木材を切断すると、その瞬間から反りが進行する。そのため、面取り加工を行う段階では、既に木材に反りが発生しており、木材を押さえながら、面取りする角部をまっすぐに修正しつつ面取りを行う必要があった。
また、切断工程と面取り工程が分かれているため、工程数を多く要していた。
【０００７】
一方、特許文献１や特許文献２に記載された発明は、「ほぞ」や「切り込み溝」の形成という、限られた部位の加工に用いられるものであり、本発明が課題としている、木材切断時の切断面の角部の面取り加工に適用することはできない。
また、特許文献３に記載された発明は、上層にコルク層を積層した床材を、金型で挟み込むことによって押圧し変形させて面取り部を形成するものであり、同様に、木材切断時の切断面の角部の面取り加工に適用することはできない。
【０００８】
本発明は、上記従来の課題を解決するものであり、木材の切断面の角部の面取り加工を容易に行うことが可能な木材切断装置を提供するものである。
【課題を解決するための手段】
【０００９】
請求項１に係る発明の木材切断装置は、被加工木材を、回転する丸鋸軸に取り付けられた丸鋸によって切断する木材切断装置であって、前記被加工木材の上面における前記丸鋸による切断部位に沿って、回転する上面取りカッターを当接させて断面Ｖ字状の凹溝を形成し、前記丸鋸による切断面の上側の角部を面取りする上面取り軸と、前記被加工木材の下面における前記丸鋸による切断部位に沿って、回転する下面取りカッターを当接させて断面Ｖ字状の凹溝を形成し、前記丸鋸による切断面の下側の角部を面取りする下面取り軸とを有することを特徴とする。
【００１０】
請求項２に係る発明の木材切断装置は、被加工木材を、回転する丸鋸軸に取り付けられた丸鋸によって切断する木材切断装置であって、前記被加工木材の下面における前記丸鋸による切断部位に沿って、回転する下面取りカッターを当接させて断面Ｖ字状の凹溝を形成し、前記丸鋸による切断面の下側の角部を面取りする下面取り軸を有することを特徴とする。
【００１１】
請求項３に係る発明の木材切断装置は、被加工木材を、回転する丸鋸軸に取り付けられた丸鋸によって切断する木材切断装置であって、前記被加工木材の上面における前記丸鋸による切断部位に沿って、回転する上面取りカッターを当接させて断面Ｖ字状の凹溝を形成し、前記丸鋸による切断面の上側の角部を面取りする上面取り軸を有することを特徴とする。
【００１２】
請求項４に係る発明は、請求項１又は請求項２に記載の木材切断装置において、前記下面取りカッターは、前記下面取り軸の軸方向に分割された左右二つの部材から形成され、前記丸鋸を左右から挟むように固定されており、前記下面取り軸と前記丸鋸軸とを同一軸によって回転させて、前記下面取りカッターによる面取りと前記丸鋸による切断とを同時に行うことを特徴とする。
【００１３】
請求項５に係る発明は、請求項１又は請求項３に記載の木材切断装置において、前記上面取りカッターは、前記上面取り軸の軸方向に分割された左右二つの部材から形成され、前記丸鋸を左右から挟むように固定されており、前記上面取り軸と前記丸鋸軸とを同一軸によって回転させて、前記上面取りカッターによる面取りと前記丸鋸による切断とを同時に行うことを特徴とする。
【００１４】
請求項６に係る発明は、請求項１乃至請求項５のうちいずれか一つに記載の木材切断装置において、前記被加工木材の上面及び前記被加工木材の下面の少なくとも一つを切削する鉋軸を有することを特徴とする。
【発明の効果】
【００１５】
請求項１に記載の発明によれば、回転する上面取りカッターが、被加工木材の上面における丸鋸による切断部位に沿って当接し、断面Ｖ字状の凹溝を形成するので、形成された凹溝が、丸鋸による切断面の上側の角部の面取り部となる。また、回転する下面取りカッターが、被加工木材の下面における丸鋸による切断部位に沿って当接し、断面Ｖ字状の凹溝を形成するので、形成された凹溝が、丸鋸による切断面の下側の角部の面取り部となる。このように、丸鋸による切断面の上下の角部の面取り加工を容易に行うことができる。
【００１６】
請求項２に記載の発明によれば、回転する下面取りカッターが、被加工木材の下面における丸鋸による切断部位に沿って当接し、断面Ｖ字状の凹溝を形成するので、形成された凹溝が、丸鋸による切断面の下側の角部の面取り部となる。このように、丸鋸による切断面の下側の角部の面取り加工を容易に行うことができる。
【００１７】
請求項３に記載の発明によれば、回転する上面取りカッターが、被加工木材の上面における丸鋸による切断部位に沿って当接し、断面Ｖ字状の凹溝を形成するので、形成された凹溝が、丸鋸による切断面の上側の角部の面取り部となる。このように、丸鋸による切断面の上側の角部の面取り加工を容易に行うことができる。
【００１８】
請求項４に記載の発明においては、下面取りカッターが、下面取り軸の軸方向に分割された左右二つの部材から形成され、丸鋸を左右から挟むように固定されている。そして、下面取り軸と丸鋸軸とが同一軸によって回転する。従って、下面取りカッターの回転により下側角部の面取りが行われると同時に、丸鋸の回転による切断が行われる。これにより、回転軸の数が少なくなるので、装置の全長を短縮することができる。また、同時に加工されるので、切断面と面取り部の加工精度を上げることができる。
【００１９】
請求項５に記載の発明においては、上面取りカッターが、上面取り軸の軸方向に分割された左右二つの部材から形成され、丸鋸を左右から挟むように固定されている。そして、上面取り軸と丸鋸軸とが同一軸によって回転する。従って、上面取りカッターの回転により上側角部の面取りが行われると同時に、丸鋸の回転による切断が行われる。これにより、回転軸の数が少なくなるので、装置の全長を短縮することができる。また、同時に加工されるので、切断面と面取り部の加工精度を上げることができる。
【００２０】
請求項６に記載の発明においては、被加工木材の上面及び被加工木材の下面の少なくとも一つを切削する鉋軸を備えている。従って、被加工木材の凹凸を解消して、面取りの加工精度を上げることができる。
【００２１】
以上、本発明によれば、木材の切断面の角部の面取り加工を容易に行うことができる。
【発明を実施するための最良の形態】
【００２２】
次に、図１乃至図１０を参照して、本発明の実施形態１に係る木材切断装置について説明する。まず図１乃至図６を参照して、実施形態１に係る木材切断装置１００の構成について説明する。図１は、実施形態１に係る木材切断装置１００の概要を示す側面図であり、図２は、木材切断装置１００の概要を示す平面図である。
【００２３】
図１及び図２に示すように、木材切断装置１００は主として、上面取り軸１、下面取り軸２、丸鋸軸３、下鉋軸４０、上鉋軸５０、フレーム７０から構成されている。そして、木材５００がフレーム７０上を、複数の送りローラ（図示しない）によって、図１及び図２における右から左へと送られながら加工されるようになっている。また、上面取り軸１、下面取り軸２、丸鋸軸３、下鉋軸４０、上鉋軸５０は、それぞれ上下方向の位置が調整可能となっている。
【００２４】
上面取り軸１は回転しながら、木材５００の上面における丸鋸による切断部位に沿って、断面Ｖ字状の凹溝Ｘを形成するようになっている。また、下面取り軸２は回転しながら、木材５００の下面における丸鋸による切断部位に沿って、断面Ｖ字状の凹溝Ｙを形成するようになっている。また、丸鋸軸３は回転しながら、木材５００を所定の幅に切断するようになっている。
【００２５】
さらに、下鉋軸４０及び上鉋軸５０の胴部には複数の鉋刃が固定され、それぞれ回転しながら木材５００の下面及び上面を切削加工するようになっている。なお、下鉋軸４０及び下鉋軸５０は必ずしも必要ではなく、事前に切削加工した木材を使用することも可能である。また、下鉋軸４０及び下鉋軸５０のいずれか一つを設けてもよい。
【００２６】
次に、図３及び図４を参照して、上面取り軸１について詳細に説明する。図３は、上面取り軸１を示す斜視図であり、図４は、上面取り軸１の先端部を示す断面図である。
図３に示すように、上面取り軸１は、胴部１０と、胴部１０の周りに固定された４枚の上面取りカッター１１から構成されている。そして、モータ等の動力により胴部１０を回転させることで、上面取りカッター１１が回転するようになっている。なお、上面取りカッター１１の枚数は、木材５００を何個に切断するかに応じて適宜決定することができる。
【００２７】
また、図４に示すように、上面取りカッター１１の先端部には、尖形の刃先１２が取り付けられており、上面取りカッター１１の刃先１２が回転しながら木材５００の上面に当接して切削し、断面Ｖ字状の凹溝Ｘを形成するようになっている。
【００２８】
次に、図５及び図６を参照して、下面取り軸２及び丸鋸軸３について説明する。なお、本実施形態においては、下面取り軸２と丸鋸軸３は、同一軸によって回転するようになっており、一体的に構成されている。図５は、下面取り軸２及び丸鋸軸３を示す斜視図であり、図６は、下面取り軸２及び丸鋸軸３の先端部を示す断面図である。
図５に示すように、下面取り軸２及び丸鋸軸３は、共通の胴部２０，３０と、胴部２０，３０の周りに固定された、４枚の下面取りカッター２１及び４枚の丸鋸３１から構成されている。そして、モータ等の動力により胴部２０，３０を回転させることで、下面取りカッター２１及び丸鋸３１が回転するようになっている。なお、下面取りカッター２１及び丸鋸３１の枚数は、木材５００を何個に切断するかに応じて適宜決定することができる。
【００２９】
また、図６に示すように、下面取りカッター２１は、下面取り軸２の軸方向（図６におけるＺ方向）に沿って左右二つに分割されている。分割された左右二つの部材は、丸鋸３１を左右から挟むように複数のネジ８０によって固定されている。また、下面取りカッター２１の左右二つの部材の先端部には、それぞれ尖形の刃先２２，２２が取り付けられており、丸鋸３１の先端部には刃先３２が取り付けられている。そして、下面取りカッター２１の刃先２２が回転しながら木材５００の下面に当接して切削し、断面Ｖ字状の凹溝Ｙを形成すると同時に、丸鋸３１の刃先３２が回転しながら木材５００を切断するようになっている。
【００３０】
次に、図７乃至図１０を参照して、実施形態１に係る木材切断装置１００による加工について説明する。図７は、木材切断装置１００の加工状態を示す斜視図であり、図８は、木材切断装置１００による切断後の木材を示す断面図である。また、図９は、上面取り軸１によるによる加工状態を示す断面図であり、図１０は、下面取り軸２及び丸鋸軸３による加工状態を示す断面図である。なお、図７においては、説明のため木材５００の手前側の部位と奥側の部位の記載を省略してある。
【００３１】
下鉋軸４０及び上鉋軸５０により切削加工された木材５００は、図７に示すように矢印方向に送られると、まず木材５００の上面に、上面取り軸１によって断面Ｖ字状の凹溝Ｘが形成される。このとき、図９の断面図に示すように、上面取り軸１の上面取りカッター１１の刃先１２が、回転しながら木材５００の上面に当接して切削する。これにより、刃先１２の両側の斜面が木材５００の切断面の両側に面取り部を形成し、丸鋸３１による切断面の上側の角部を面取りすることができる。
【００３２】
次に、木材５００下面に、下面取り軸２によって断面Ｖ字状の凹溝Ｙが形成されると同時に、丸鋸軸３によって木材５００が切断される。このとき、図１０の断面図に示すように、下面取り軸２の下面取りカッター２１の刃先２２が、回転しながら木材５００の下面に当接して切削する。これにより、刃先２２の両側の斜面が木材５００の切断面の両側に面取り部を形成し、丸鋸３１による切断面の下側の角部を面取りすることができる。
【００３３】
ここで、凹溝Ｘは、丸鋸３１による切断部位に沿って形成される。より詳細には、丸鋸３１の切断面が凹溝ＸのＶ字断面における最深部と合致することになる。同様に、凹溝Ｙも丸鋸３１による切断面に沿って形成され、丸鋸３１の切断面が凹溝ＹのＶ字断面における最深部と合致することになる。従って、「凹溝Ｘの最深部」、「凹溝Ｙの最深部」、「丸鋸３１の切断面」は、同一垂直線上に位置することになる。このようにして、図８に示すような切断後木材５０１，５０２，５０３に加工され、切断後木材５０１，５０２，５０３の切断面の上下の角部には、面取り加工が施される。
なお、上面取り軸１及び下面取り軸２の上下位置を調整することにより、凹溝Ｘ，凹溝Ｙの深さを変化させ、面取り部の大きさを変更することができる。
【００３４】
実施形態１に係る木材切断装置１００によれば、回転する上面取りカッター１１が、被加工木材５００の上面における丸鋸３１による切断部位に沿って当接し、断面Ｖ字状の凹溝Ｘを形成するので、形成された凹溝Ｘが、丸鋸３１による切断面の上側の角部の面取り部となる。また、回転する下面取りカッター２１が、被加工木材５００の下面における丸鋸３１による切断部位に沿って当接し、断面Ｖ字状の凹溝Ｙを形成するので、形成された凹溝Ｙが、丸鋸３１による切断面の下側の角部の面取り部となる。このように、丸鋸３１による切断面の上下の角部の面取り加工を容易に行うことができる。
【００３５】
また、下面取りカッター２１が、下面取り軸２の軸方向に分割された左右二つの部材から形成され、丸鋸３１を左右から挟むように固定されている。そして、下面取り軸２と丸鋸軸３とが同一軸によって回転する。従って、下面取りカッター２１の回転により下側角部の面取りが行われると同時に、丸鋸３１の回転による切断が行われる。これにより、回転軸の数が少なくなるので、装置の全長を短縮することができる。また、同時に加工されるので、切断面と面取り部の加工精度を上げることができる。
【００３６】
また、被加工木材５００の上面及び被加工木材５００の下面を切削する上鉋軸４０，下鉋軸５０を備えている。従って、被加工木材５００の凹凸を解消して、面取りの加工精度を上げることができる。
【００３７】
次に、図１１を参照して、本発明の実施形態２に係る木材切断装置について説明する。図１１は、実施形態２に係る木材切断装置２００の概要を示す側面図である。
図１１に示すように、木材切断装置２００は主として、下面取り軸４、上面取り軸５、丸鋸軸６、下鉋軸４０、上鉋軸５０、フレーム７０から構成されている。なお、実施形態１と同一の部分には同一の符号を付して説明を省略する。
【００３８】
実施形態２に係る木材切断装置２００は、図１に示す実施形態１に係る木材切断装置１００とほぼ同様の構成であるが、丸鋸軸６を上側に配置するとともに、上面取り軸５と丸鋸軸６とを同一軸によって回転させるようにした点が異なる。従って、実施形態１における下面取り軸２と丸鋸軸３との関係と同様に、実施形態２においては、上面取り軸５の上面取りカッターは、上面取り軸５の軸方向に分割された左右二つの部材から形成され、丸鋸軸６の丸鋸を左右から挟むように固定されている。
【００３９】
実施形態２に係る木材切断装置２００によれば、回転する下面取りカッターが、被加工木材５００の下面における丸鋸による切断部位に沿って当接し、断面Ｖ字状の凹溝を形成するので、形成された凹溝が、丸鋸による切断面の下側の角部の面取り部となる。また、回転する上面取りカッターが、被加工木材５００の上面における丸鋸による切断部位に沿って当接し、断面Ｖ字状の凹溝を形成するので、形成された凹溝が、丸鋸による切断面の上側の角部の面取り部となる。このように、丸鋸による切断面の上下の角部の面取り加工を容易に行うことができる。
【００４０】
また、上面取りカッターが、上面取り軸５の軸方向に分割された左右二つの部材から形成され、丸鋸を左右から挟むように固定されている。そして、上面取り軸５と丸鋸軸６とが同一軸によって回転する。従って、上面取りカッターの回転により上側角部の面取りが行われると同時に、丸鋸の回転による切断が行われる。これにより、回転軸の数が少なくなるので、装置の全長を短縮することができる。また、同時に加工されるので、切断面と面取り部の加工精度を上げることができる。
【００４１】
次に、図１２を参照して、本発明の実施形態３に係る木材切断装置について説明する。図１２は、実施形態３に係る木材切断装置３００の概要を示す側面図である。
図１２に示すように、木材切断装置３００は主として、上面取り軸７、下面取り軸８、丸鋸軸９、下鉋軸４０、上鉋軸５０、フレーム７０から構成されている。なお、実施形態１と同一の部分には同一の符号を付して説明を省略する。
【００４２】
実施形態３に係る木材切断装置３００は、図１に示す実施形態１に係る木材切断装置１００とほぼ同様の構成であるが、下面取り軸８と丸鋸軸９とを、別々の軸によって回転させるようにした点が異なる。従って、上面取り軸７と下面取り軸８は、同様の形状となる。そして、下側の面取り加工と、木材５００の切断は別々に行われる。なお、図１２では丸鋸軸９を下側に配置しているが、上側に配置する構成としてもよい。
【００４３】
実施形態３に係る木材切断装置３００によれば、回転する下面取りカッターが、被加工木材５００の下面における丸鋸による切断部位に沿って当接し、断面Ｖ字状の凹溝を形成するので、形成された凹溝が、丸鋸による切断面の下側の角部の面取り部となる。また、回転する上面取りカッターが、被加工木材５００の上面における丸鋸による切断部位に沿って当接し、断面Ｖ字状の凹溝を形成するので、形成された凹溝が、丸鋸による切断面の上側の角部の面取り部となる。このように、丸鋸による切断面の上下の角部の面取り加工を容易に行うことができる。
【００４４】
以上、本発明の実施形態に係る木材切断装置について説明したが、被加工木材の面取り加工が切断面の上側又は下側のいずれかのみに要求される場合には、上面取りカッターのみの構成や、下面取りカッターのみの構成とすることも可能である。
例えば、上面取りカッターのみを有する場合には、回転する上面取りカッターが、被加工木材の上面における丸鋸による切断部位に沿って当接し、断面Ｖ字状の凹溝を形成するので、形成された凹溝が、丸鋸による切断面の上側の角部の面取り部となり、丸鋸による切断面の上側の角部の面取り加工を容易に行うことができる。
同様に、下面取りカッターのみを有する場合には、回転する下面取りカッターが、被加工木材の下面における丸鋸による切断部位に沿って当接し、断面Ｖ字状の凹溝を形成するので、形成された凹溝が、丸鋸による切断面の下側の角部の面取り部となり、丸鋸による切断面の下側の角部の面取り加工を容易に行うことができる。
【００４５】
また、上記実施形態においては、丸鋸軸を装置の最下流に配置したが、丸鋸軸を上流側に配置して、丸鋸による切断後に面取り加工を行う構成としてもよい。
【００４６】
以上、上記実施形態に係る木材切断装置によれば、木材の切断面の角部の面取り加工を容易に行うことができる。
【図面の簡単な説明】
【００４７】
【図１】実施形態１に係る木材切断装置の概要を示す側面図である。
【図２】実施形態１に係る木材切断装置の概要を示す平面図である。
【図３】上面取り軸を示す斜視図である。
【図４】上面取り軸の先端部を示す断面図である。
【図５】下面取り軸及び丸鋸軸を示す斜視図である。
【図６】下面取り軸及び丸鋸軸の先端部を示す断面図である。
【図７】木材切断装置の加工状態を示す斜視図である。
【図８】木材切断装置による切断後の木材を示す断面図である。
【図９】上面取り軸によるによる加工状態を示す断面図である。
【図１０】下面取り軸及び丸鋸軸による加工状態を示す断面図である。
【図１１】実施形態２に係る木材切断装置の概要を示す側面図である。
【図１２】実施形態３に係る木材切断装置の概要を示す側面図である。
【図１３】従来例に係る木材切断装置の概要を示す側面図である。
【図１４】従来例に係る木材切断装置の概要を示す平面図である。
【符号の説明】
【００４８】
１      上面取り軸
２      下面取り軸
３      丸鋸軸
４      下面取り軸
５      上面取り軸
６      丸鋸軸
７      上面取り軸
８      下面取り軸
９      丸鋸軸
１０      胴部
１１      上面取りカッター
１２      刃先
２０      胴部
２１      下面取りカッター
２２      刃先
３０      胴部
３１      丸鋸
３２      刃先
４０      下鉋軸
５０      上鉋軸
６０      丸鋸軸
７０      フレーム
８０      ネジ
１００      木材切断装置
２００      木材切断装置
３００      木材切断装置
４００      木材切断装置
５００      木材
５０１      切断後木材
５０２      切断後木材
５０３      切断後木材
Ｘ      凹溝
Ｙ      凹溝
【図１】
2009269379.tif 000003
【図２】
2009269379.tif 000004
【図３】
2009269379.tif 000005
【図４】
2009269379.tif 000006
【図５】
2009269379.tif 000007
【図６】
2009269379.tif 000008
【図７】
2009269379.tif 000009
【図８】
2009269379.tif 000010
【図９】
2009269379.tif 000011
【図１０】
2009269379.tif 000012
【図１１】
2009269379.tif 000013
【図１２】
2009269379.tif 000014
【図１３】
2009269379.tif 000015
【図１４】
2009269379.tif 000016